(57)【要約】    【課題】  サブレンズ群間のレンズ間隔を変えるための構成に必要な部品の数を少なくし、コストダウンおよび小型化を図ることができるズームレンズ鏡筒を提供する。    【解決手段】  ズームレンズ鏡筒には、第１のサブレンズ群ユニット２および第２のサブレンズ群ユニット３（複数のサブレンズ群）から構成されるサブレンズ群ユニット１（１つのレンズ群）が設けられている。ズーミング動作時、レンズ切換え筒９が第１のサブレンズ群ユニット２（一方のサブレンズ群）の光軸方向の進退動作に追従して回転し、この第１のサブレンズ群ユニット２の回転に追従して第２のサブレンズ群ユニット３（他のサブレンズ群）が光軸方向へ進退する。これにより、第１のサブレンズ群ユニット２と第２のサブレンズ群ユニット３との間のレンズ間隔Ｌが変化する。【選択図】      図２
2005351982.tif 000002
【特許請求の範囲】
【請求項１】
少なくとも１つが光軸方向へ進退可能な複数のサブレンズ群から構成される少なくとも１つのレンズ群と、
ズーミング動作に連動して前記サブレンズ群間のレンズ間隔を変えるサブレンズ間隔変更機構とを備え、
前記サブレンズ間隔変更機構は、前記少なくとも１つのサブレンズ群の光軸方向への進退に追従して運動し、該運動により他のサブレンズ群を光軸方向へ進退させるための切換え部材を有することを特徴とするズームレンズ鏡筒。
【請求項２】
前記切換え部材の運動は光軸周りの回転運動であり、前記他のサブレンズ群は、前記切換え部材の運動は光軸周りの回転運動に追従して前記光軸方向へ進退することを特徴とする請求項１記載のズームレンズ鏡筒。
【請求項３】
前記少なくとも１つのサブレンズ群の外周には、光軸方向へ進退可能な直進部材が設けられ、前記直進部材には、前記切換え部材を光軸方向の周りに回転させるための回転操作手段が設けられ、
前記切換え部材には、前記他のサブレンズ群を光軸方向へ進退させるための進退操作手段が設けられていることを特徴とする請求項２記載のズームレンズ鏡筒。
【請求項４】
前記進退操作手段は、前記他のサブレンズ群と係合するサブレンズ群係合手段からなり、該サブレンズ群係合手段は、前記他のサブレンズ群を光軸方向へ進退させないための第１のサブレンズ群係合部と、前記他のサブレンズ群を光軸方向へ進退させるための第２のサブレンズ群係合部とを含むことを特徴とする請求項３記載のズームレンズ鏡筒。
【請求項５】
前記切換え部材は、前記光軸と同軸上に延びる円筒部材からなり、前記第１のサブレンズ群係合部は、前記切換え部材の円周方向に延び、光軸方向へずれた位置にそれぞれ配置された少なくとも２つの平行カムであり、前記第２のサブレンズ群係合部は、前記少なくとも２つの平行カムを結ぶカムであることを特徴とする請求項４記載のズームレンズ鏡筒。
【請求項６】
前記回転操作手段は、前記切換え部材と係合する切換え部材係合手段からなり、該切換え部材係合手段は、前記切換え部材を回転させないための第１の切換え部材係合部と、前記切換え部材を回転させるための切換え部材係合部とを含むことを特徴とする請求項３記載のズームレンズ鏡筒。
【請求項７】
前記直進部材は、前記光軸と同軸上に延びる円筒部材からなり、前記第１の切換え係合部は、前記直進部材の円周方向に延び、光軸方向へずれた位置にそれぞれ配置された少なくとも２つの平行カムであり、前記第２のサブレンズ群係合部は、前記少なくとも２つの平行カムを結ぶカムであることを特徴とする請求項６記載のズームレンズ鏡筒。
【請求項８】
請求項１記載のズームレンズ鏡筒を備えることを特徴とするカメラ。
【発明の詳細な説明】
【技術分野】
【０００１】
本発明は、光軸方向へ進退可能な１つ以上のレンズ群を備えるズームレンズ鏡筒およびそれを備えるカメラに関する
【背景技術】
【０００２】
従来、ズームレンズ鏡筒して、第１のサブレンズ群と第２のサブレンズ群とから構成される１つのレンズ群と、第１のサブレンズ群と第２のサブレンズ群との間のレンズ間隔を切り換えるための切換カムと、減速系を介して切換カムを駆動させるためのモータとを有し、ワイド端から中間焦点距離までのワイド側ズームミング領域と、中間焦点距離からテレ端のテレ側ズーミング領域とのそれぞれで、モータにより切換カムを駆動させることによって、第１のサブレンズ群と第２のサブレンズ群との間のレンズ間隔を切り換えるものがある（例えば特許文献１を参照）。
【特許文献１】特開２００２−１６９０７５号公報
【発明の開示】
【発明が解決しようとする課題】
【０００３】
しかしながら、上記従来のレンズ鏡筒においては、第１のサブレンズ群と第２のサブレンズ群との間のレンズ間隔を切り換えるための構成として、モータにより減速系を介して切換カムを駆動させる構成が用いられているので、その構成に必要な部品点数が多く、コストが増すことになる。また、部品の数が多いことによって、それらの配置空間が大きくなり、ズームレンズ鏡筒またはカメラ本体の小型化を図ることが難しい。
【０００４】
本発明の目的は、サブレンズ群間のレンズ間隔を変えるための構成に必要な部品の数を少なくし、コストダウンおよび小型化を図ることができるズームレンズ鏡筒およびカメラを提供することにある。
【課題を解決するための手段】
【０００５】
本発明は、上記目的を達成するため、少なくとも１つが光軸方向へ進退可能な複数のサブレンズ群から構成される少なくとも１つのレンズ群と、ズーミング動作に連動して前記サブレンズ群間のレンズ間隔を変えるサブレンズ間隔変更機構とを備え、前記サブレンズ間隔変更機構は、前記少なくとも１つのサブレンズ群の光軸方向への進退に追従して運動し、該運動により他のサブレンズ群を光軸方向へ進退させるための切換え部材を有することを特徴とするズームレンズ鏡筒を提供する。
【０００６】
本発明は、上記目的を達成するため、上記ズームレンズ鏡筒を備えることを特徴とするカメラを提供する。
【発明の効果】
【０００７】
本発明によれば、サブレンズ群間のレンズ間隔を変えるための構成に必要な部品の数を少なくし、コストダウンおよび小型化を図ることができる。
【発明を実施するための最良の形態】
【０００８】
以下、本発明の実施の形態について図面を参照しながら説明する。
【０００９】
図１は本発明の一実施の形態に係るズームレンズ鏡筒の構成を示す縦断面図である。ここで、図１は、ズームレンズ鏡筒が広角（ワイド）状態にある場合を示す。
【００１０】
ズームレンズ鏡筒は、図１に示すように、第１の回転筒２０に支持され、第１の回転筒２０と一体に光軸方向へ進退する第１の直進筒１４と、第２の回転筒２２に支持され、第２の回転筒２２と一体に光軸方向へ進退する第２の直進筒２１とを備える。
【００１１】
第１の直進筒１４には、前群レンズユニット１５、後群レンズユニット１６、サブレンズ群ユニット１などが組み込まれている。この第１の直進筒１４に組み込まれている部品およびその構成の詳細については、後述する。
【００１２】
第２の直進筒２１の内周には、第１の回転筒２０のヘリコイドネジ２０ｂと螺合するヘリコイドネジ２１ａが形成されている。また、第２の直進筒２１の内周には、ヘリコイドネジ２１ａと同リードのカム孔２１ｂ（後述の図８を参照）が形成されており、カム孔２１ｂには、第１の回転筒２０の駆動軸２０ｃが貫通する。
【００１３】
第２の回転筒２２は、第２の直進筒２１の外周に回転可能に嵌合する。第２の回転筒２２の外周には、ヘリコイドネジ２２ａが形成されており、ヘリコイドネジ２２ａは第３の直進筒２３の内周に形成されたヘリコイドネジ２３ａと螺合する。これにより、第２の回転筒２２は、第３の直進筒２３に支持され、第３の直進筒２３のヘリコイドネジ２３ａのリードに沿って回転しながら光軸方向に進退可能である。また、第２の回転筒２２の外周には、放射方向に延びる２本の駆動軸２２ｂが形成されており、各駆動軸２２ｂは、第３の直進筒２３の対応する貫通カム２３ｂ（後述の図８を参照）を貫通し、第３の回転筒２４の直進溝２４ｃと摺動可能に嵌合する。これにより、第２の回転筒２２には、第３の回転筒２４の回転力が伝達される。第２の回転筒２２の内周には、光軸方向に延びる直進溝２２ｃが形成されており、直進溝２２ｃは、第１の回転筒２０の外周に形成された駆動軸２０ｃと摺動可能に嵌合する。これにより、第２の回転筒２２の回転力が第１の回転筒２０に伝達される。
【００１４】
第３の直進筒２３は、第３の回転筒２４に支持され、第３の回転筒２４と一体に光軸方向へ進退する。第３の直進筒２３の内周には、ヘリコイドネジ２３ａが形成されており、ヘリコイドネジ２３ａは、第２の回転筒２２のヘリコイドネジ２２ａと螺合する。また、ヘリコイドネジ２２ａと同リードのカム孔２２ｂが形成されており、カム孔２２ｂには、第２の回転筒２２の駆動軸２２ｂが貫通する。
【００１５】
第３の回転筒２４は、第３の直進筒２３の外周に回転可能に嵌合する。第３の回転筒２４の外周には、ヘリコイドネジ２４ａが形成されており、ヘリコイドネジ２４ａは、固定筒２５の内周に形成されたヘリコイドネジ２５ａと螺合する。これにより、第３の回転筒２４は、固定筒２５のヘリコイドネジ２５ａのリードに沿って回転しながら光軸方向に進退する。第３の回転筒２４の内周には、光軸方向に延びる直進溝２４ｂが形成されており、直進溝２４ｂは、第２の回転筒２２の外周に形成された駆動軸２２ｃと摺動可能に嵌合する。これにより、第３の回転筒２４の回転力が第２の回転筒２２に伝達される。
【００１６】
固定筒２５は、カメラ本体（図示せず）に固定されている。固定筒２５の外周には、モータおよび減速系（図示せず）が取り付けられており、モータの駆動力は減速系を介して第３の回転筒２４に伝達される。
【００１７】
次に、第１の直進筒１４内に組み込まれている部品およびその構成について図２〜図５を参照しながら説明する。図２は図１の第１の直進筒１４内に組み込まれている構成部品の詳細を示す縦断面図、図３は図２の第１の直進筒１４内に組み込まれている構成部品を示す分解斜視図、図４は図２の第１の直進筒１４を示す縦断面図、図５は図２の第１の回転筒２０を示す縦断面図である。
【００１８】
第１の直進筒１４には、図２および図３に示すように、後述する撮影光学系の全てが支持されている。第１の直進筒１４の前方のフランジ部には、開口部１４ａ（図３）が形成され、開口部１４ａには、前群レンズユニット１５が接着固定されている。第１の直進筒１４の後部には、後群レンズユニット１６が固定されている。第１の直進筒１４の後部には、複数の孔１４ｂが形成されており、後群レンズユニット１６には、各孔１４ｂにそれぞれ対向する複数の孔１６ａが形成されている。後群レンズユニット１６の各孔１６ａには、それぞれ、対応する第１の直進筒１４の孔１４ｂを貫通する固定ピン１７が圧入されており、これにより、第１の直進筒１４と後群レンズユニット１６とが固定される。前群レンズユニット１５と後群レンズユニット１６とは、ズーミング動作およびフォーカス動作においては、それぞれの間の間隔を変化させることなく、第１の直進筒１４と一体に光軸方向へ進退する。
【００１９】
前群レンズユニット１５と後群レンズユニット１６との間には、それらの間で光軸方向へ進退することによって、ズーミングとフォーカシングを行うサブレンズ群ユニット１が配置されている。サブレンズ群ユニット１は、第１のサブレンズ群ユニット２と第２のサブレンズ群ユニット３とから構成される。サブレンズ群ユニット１は、３本のカムピン１８により、光軸方向へ進退可能に支持されている。ここで、各カムピン１８は、それぞれ、第１の直進筒１４に形成されている対応する直進溝１４ｃを貫通し、第１のサブレンズ群ユニット２のシャッタ羽押え６の対応する孔６ａに圧入されている。各カムピン１８は、第１の回転筒２０のカム溝２０ａと摺動可能に嵌合し、これにより、サブレンズ群ユニット１は、第１の回転筒２０のカム溝２０ａのリードに沿って光軸方向へ進退する。サブレンズ群ユニット１の詳細な構成については、後述する。
【００２０】
第１の直進筒１４の内周面には、図４に示すように、第１の直進カム１４ｅ、第２の直進カム１４ｆおよび傾斜カム１４ｇから構成される３本の複合カム１４ｄが形成されている。第１の直進カム１４ｅは、サブレンズ群ユニット１のレンズ切換え筒９を旋回させないようにするための光軸方向へ延びるカムである。第２の直進カム１４ｆは、第１の直進カム１４ｅから円周方向へずれた位置に配置され、サブレンズ群ユニット１の後述するレンズ切換え筒９を旋回させないようにするための光軸方向へ延びるカムである。傾斜カム１４ｇは、レンズ切換え筒９を円周に沿って回転させるための、第１の直進カム１４ｅと第２の直進カム１４ｆとを結ぶように円周に沿って延びるカムである。各複合カム１４ｄは、それぞれ、レンズ切換え筒９の対応するカム軸９ａと摺動可能に嵌合し、第１のサブレンズ群ユニット２が光軸方向へ移動することによって、レンズ切換え筒９が第１の直進筒１４の各複合カム１４ｄに案内されながら回転する。
【００２１】
前群レンズユニット１５の前方には、図２および図３に示すように、バリアユニット１９が配置されており、バリアユニット１９は、第１の直進筒１４に固定されている。
【００２２】
第１の回転筒２０は、第１の直進筒１４の外周に回転可能に嵌合する。第１の回転筒２０の外周にはヘリコイドネジ２０ｂが形成されており、ヘリコイドネジ２０ｂは、上述したように、第２の直進筒２１の内周に形成されたヘリコイドネジ２１ａと螺合する。これにより、第１の回転筒２０は、第２の直進筒２１のヘリコイドネジ２１ａのリードに沿って回転しながら光軸方向へ進退可能に第２の直進筒２１に支持される。第１の回転筒２０の外周には、放射方向へ延びる２本の駆動軸２０ｃが形成されている。各駆動軸２０ｃは、上述したように、第２の直進筒２１の貫通カム２１ｂを貫通し、第２の回転筒２２の直進溝２２ｃと摺動可能に嵌合されている。これにより、第２の回転筒２２の回転力が第１の回転筒２０に対して伝達される。
【００２３】
第１の回転筒２０の内周面には、図５に示すように、３本のカム溝２０ａが形成されている。各カム溝２０ａは、円周方向に沿いながら光軸方向へ延びるズーム領域２０ｄとフォーカス領域２０ｅとを有し、各カム溝２０ａには、それぞれ、対応するカムピン１８が摺動可能に嵌合される。これにより、第１の回転筒２０には、サブレンズ群ユニット１が光軸方向へ進退可能に支持されることになる。ここで、各カム溝２０ａのズーム領域２０ｄは、レンズ切換え筒９を回転させ、第２のサブレンズ群ユニット３を光軸方向へ進退させて第１のサブレンズ群ユニット２と第２のサブレンズ群ユニット３との間のレンズ間隔を変化させるためのものである。
【００２４】
次に、サブレンズ群ユニット１の詳細な構成について図６および図７を参照しながら説明する。図６は図２のサブレンズ群ユニット１の詳細な構成を示す縦断面図、図７は図２のサブレンズ群ユニット１の構成を示す分解斜視図である。
【００２５】
サブレンズ群ユニット１は、図６および図７に示すように、第１のサブレンズ群ユニット２と、第２のサブレンズ群ユニット３と、第１のサブレンズ群ユニット２と第２のサブレンズ群ユニット３との間に配置されたレンズ切換え筒９とを有する。このレンズ切換え筒９の回転に伴い第１のサブレンズ群ユニット２は、光軸方向へ進退可能に構成され、この第１のサブレンズ群ユニット２の進退により、第１のサブレンズ群ユニット２と第２のサブレンズ群ユニット３との間の間隔が変化する。
【００２６】
第１のサブレンズ群ユニット２は、シャッタユニット４と、撮影光学系（光学レンズを含む系）７，８とを含み（図７を参照）、撮影光学系７は、シャッタユニット４を構成するシャッタ地板５に保持されている。撮影光学系８は、シャッタユニット４を構成するシャッタ羽押え６に保持され、シャッタユニット４と一体に光軸方向へ進退する。シャッタ地板５には、レンズ保持枠１０を回転させずに光軸方向へ進退させるための、光軸方向へ延びる３本の直進溝５ｂが形成されている。また、シャッタ羽押え６には、サブレンズ群ユニット１を第１の回転筒２０に支持するためのカムピン１８を固定する孔６ａが形成されている。
【００２７】
第２のサブレンズ群ユニット３は、レンズ保持枠１０と、撮影光学系１１とを含み（図７を参照）、撮影光学系１１はレンズ保持枠１０に保持されている。レンズ保持枠１０は、シャッタ地板５の前方に配置され、レンズ保持枠１０の外周はシャッタ地板５の内周に嵌合する。この嵌合により、第１のサブレンズ群ユニット２と第２のサブレンズ群ユニット３の撮影光軸が合わせられている。レンズ保持枠１０の外周には、放射方向へ突出する３本のカム軸１０ａが形成されており、各カム軸１０ａは、それぞれ、シャッタ地板５の対応する直進溝５ｂと嵌合するとともに、レンズ切換え筒９の対応する複合カム９ｂに当接する。これにより、レンズ保持枠１０（第２のサブレンズ群ユニット３）は、第１のサブレンズ群ユニット２に支持される。
【００２８】
レンズ切換え筒９は、レンズ保持枠１０を支持し、第１のサブレンズ群ユニット２と第２のサブレンズ群ユニット３との間のレンズ間隔Ｌを変化させる。すなわち、レンズ切換え筒９は、シャッタ地板５の外周５ａに回転可能に支持され、シャッタ地板５と一体に光軸方向へ進退する。
【００２９】
レンズ切換え筒９の外周には、放射方向へ突出する３本のカム軸９ａが形成されており、各カム軸９ａは、それぞれ、第１の直進筒１４の対応する複合カム１４ｄに摺動可能に嵌合する。これにより、第１のサブレンズ群ユニット２は光軸方向へ進退可能であり、レンズ切換え筒９は第１の直進筒１４の各複合カム１４ｄに沿って回転する。また、レンズ切換え筒９の内周には、第１の平行カム９ｃ、第２の平行カム９ｄおよび傾斜カム９ｅから構成される３本の複合カム９ｂが形成されている。第１の平行カム９ｃは、ワイド端から中間焦点距離のワイド側ズーミング領域において、第１のサブレンズ群ユニット２に対して、第１のサブレンズ群ユニット２と第２のサブレンズ群ユニット３との間のレンズ間隔を変化させない状態に保つための、円周方向に延びかつリードを持たないカムである。第２の平行カム９ｄは、中間焦点距離からテレ端のテレ側ズーミング領域において、第１のサブレンズ群ユニット２に対して、上記レンズ間隔を変化させない状態に保つための、円周方向に延びかつリードを持たないカムである。また、第２の平行カム９ｄは、第１の平行カム９ｃと光軸方向へずれた位置に設けられている。傾斜カム９ｅは、第１の平行カム９ｃと第２の平行カム９ｄとを結ぶように円周に沿って延びるカムであり、傾斜カム９ｅには、レンズ保持枠１０の対応するカム軸１０ａが当接されている。
【００３０】
レンズ切換え筒９が第１の直進筒１４の各複合カム１４ｄに沿って回転すると、この回転に伴いレンズ保持枠１０はレンズ切換え筒９の各複合カム９ｂに沿って光軸方向へ進退する。この進退により、第１のサブレンズ群ユニット２と第２のサブレンズ群ユニット３との間のレンズ間隔Ｌが変化する。
【００３１】
レンズ保持枠１０に形成されたフランジ部１０ｂと保持板１３との間には、片寄せスプリング１２が配置されている。片寄せスプリング１２は、レンズ保持枠１０の各カム軸１０ａをそれぞれレンズ切換え筒９の対応する複合カム９ｂに当接させる方向に付勢するものである。レンズ切換え筒９、第２のサブレンズ群ユニット３および片寄せスプリング１２は、保持板１３により、レンズ保持枠１０（第１のサブレンズ群ユニット２）に保持される。保持板１３には、光軸方向へ突出する３本の係止板１３ａが設けられ、各係止板１３ａには、それぞれ、シャッタ地板５に形成された対応する係止爪５ｃと係止する孔が形成されている。これにより、保持板１３は、レンズ保持枠１０（第１のサブレンズ群ユニット２）に固定される。
【００３２】
次に、ズームレンズ鏡筒のサブレンズ群ユニット１の動作について図１、図８および図９を参照しながら説明する。図８は図１のズームレンズ鏡筒のテレ状態を示す縦断面図、図９は図８のサブレンズ群ユニット１の移動状態を示す拡大図である。ここで、図１に示すズームレンズ鏡筒の状態は、広角（ワイド）状態である。
【００３３】
まず広角（ワイド）状態から望遠（テレ）状態への切換動作について説明する。図１に示す広角（ワイド）状態から図８に示す望遠（テレ）状態へ撮影光学系を切り換える場合、カメラ本体に設けられたテレ側ズームスイッチ（図示せず）が押下される。これにより、上記モータが駆動し、モータの駆動力が減速系を介して第３の回転筒２４に伝達される。駆動力が伝達された第３の回転筒２４は、固定筒２５のヘリコイドネジ２５ａのリードに沿って回転しながら光軸方向へ繰り出すとともに、第３の回転筒２４の回転力が第２の回転筒２２の駆動軸２２ｂを介して第２の回転筒２２に伝達される。回転力が伝達された第２の回転筒２２は、第３の直進筒２３ヘリコイドネジ２３ａのリードに沿って回転しながら光軸方向へ繰り出すとともに、第２の回転筒２２の回転力が第１の回転筒２０の駆動軸２１ｃを介して第１の回転筒２０に伝達される。
【００３４】
回転力が伝達された第１の回転筒２０は、第２の直進筒２１ヘリコイドネジ２１ａのリードに沿って反時計方向へ回転しながら光軸方向に繰り出す。この第１の回転筒２０の回転により、第１のサブレンズ群ユニット２が、第１の回転筒２０のカム溝２０ａに沿って光軸方向へ繰り込まれる。このとき、カム切換え筒９は、第１のサブレンズ群ユニット２と同様に、光軸方向に繰り込まれ、図１に示す第１の直進筒１４の第２の直進カム１４ｆに位置するレンズ切換え筒９の３本のカム軸９ａは、傾斜カム１４ｇを通過し、図８および図９に示すように第１の直進筒１４の第１の直進カム１４ｅへ移動する。この移動により、レンズ切換え筒９は第１の直進筒１４の傾斜カム１４ｇに沿って時計方向に回転する。この回転により、図１に示すカム切換え筒９の第１の平行カム９ｃに位置するレンズ保持枠１０のカム軸１０ａは、カム切換え筒９の傾斜カム９ｅを通過し、図８および図９に示すようにカム切換え筒９の第２の平行カム９ｄに移動する。この移動により、第２のサブレンズ群ユニット３は繰り出され、図８および図９に示すようにサブレンズ群ユニット１内で第１のサブレンズ群ユニット２と第２のサブレンズ群ユニット３との間のレンズ間隔Ｌが広がる方向に変化する。
【００３５】
次に、望遠（テレ）状態から広角への切換動作について説明する。図８および図９に示す望遠（テレ）状態から図１に示す広角（ワイド）状態へ撮影光学系を切換える場合、カメラ本体に設けられたワイド側ズームスイッチ（図示せず）が押下される。これにより、上記モータが駆動し、モータの駆動力が減速系を介して第３の回転筒２４に伝達される。駆動力が伝達された第３の回転筒２４は、固定筒２５のヘリコイドネジ２５ａのリードに沿って回転しながら光軸方向へ繰り込むとともに、第３の回転筒２４の回転力が第２の回転筒２２の駆動軸２２ｂを介して第２の回転筒２２に伝達される。回転力が伝達された第２の回転筒２２は、第３の直進筒２３ヘリコイドネジ２３ａのリードに沿って回転しながら光軸方向に繰り込むとともに、第２の回転筒２２の回転力が第１の回転筒２０の駆動軸２１ｃを介して第１の回転筒２０に伝達される。
【００３６】
回転力が伝達された第１の回転筒２０は、第２の直進筒２１ヘリコイドネジ２１ａのリードに沿って時計方向へ回転しながら光軸方向へ繰り込む。この第１の回転筒２０の回転により、第１のサブレンズ群ユニット２が、第１の回転筒２０のカム溝２０ａに沿って光軸方向に繰り出される。このとき、カム切換え筒９は、第１のサブレンズ群ユニット２と同様に光軸方向に繰り出され、図８および図９に示す第１の直進筒１４の第１の直進カム１４ｅの位置するレンズ切換え筒９の３本のカム軸９ａは、傾斜カム１４ｇを通過し、図１に示すように第１の直進筒１４の第１の直進カム１４ｅに移動する。この移動により、レンズ切換え筒９は、第１の直進筒１４の傾斜カム１４ｇに沿って反時計方向へ回転する。この回転により、図８および図９に示すカム切換え筒９の第２の平行カム９ｄに位置するレンズ保持枠１０のカム軸１０ａは、カム切換え筒９の傾斜カム９ｅを通過し、図１に示すように第１の平行カム９ｃに移動する。この移動により、第２のサブレンズ群ユニット３は繰り込まれ、図１に示すようにサブレンズ群ユニット１内で第１のサブレンズ群ユニット２と第２のサブレンズ群ユニット３との間のレンズ間隔Ｌが狭くなる方向に変化する。
【００３７】
このように、本実施の形態によれば、第１のサブレンズ群ユニット２および第２のサブレンズ群ユニット３（複数のサブレンズ群）から構成されるサブレンズ群ユニット１（１つのレンズ群）において、ズーミング動作時、レンズ切換え筒９が第１のサブレンズ群ユニット２（一方のサブレンズ群）の光軸方向の進退動作に追従して回転し、この第１のサブレンズ群ユニット２の回転に追従して第２のサブレンズ群ユニット３（他のサブレンズ群）が光軸方向へ進退することによって、第１のサブレンズ群ユニット２と第２のサブレンズ群ユニット３との間のレンズ間隔Ｌが変化するので、ズーミング動作に伴うサブレンズ群ユニット１，２間のレンズ間隔Ｌを変えるための専用部品の数を少なくすることができ、鏡筒の小型化ひいてはカメラ本体の小型化を図ることができるとともに、コストダウンを図ることができる。
【図面の簡単な説明】
【００３８】
【図１】本発明の一実施の形態に係るズームレンズ鏡筒の構成を示す縦断面図である。
【図２】図１の第１の直進筒１４内に組み込まれている構成部品の詳細を示す縦断面図である。
【図３】図２の第１の直進筒１４内に組み込まれている構成部品を示す分解斜視図である。
【図４】図２の第１の直進筒１４を示す縦断面図である。
【図５】図２の第１の回転筒２０を示す縦断面図である。
【図６】図２のサブレンズ群ユニット１の詳細な構成を示す縦断面図である。
【図７】図２のサブレンズ群ユニット１の構成を示す分解斜視図である。
【図８】図１のズームレンズ鏡筒のテレ状態を示す縦断面図である。
【図９】図８のサブレンズ群ユニット１の移動状態を示す拡大図である。
【符号の説明】
【００３９】
１  サブレンズ群
２  第１のサブレンズ群３
３  第２のサブレンズ群
５ｂ  直進溝
７，８，１１  撮影光学系
９  レンズ切換え筒（切換え部材）
９ａ，１０ａ  カム軸
９ｂ，１４ｄ  複合カム
９ｃ  第１の平行カム（第１のサブレンズ群係合部）
９ｄ  第２の平行カム（第１のサブレンズ群係合部）
９ｅ  傾斜カム（第２のサブレンズ群係合部）
１０  レンズ保持枠
１４  第１の直進筒（直進部材）
１４ｃ  直進溝
１４ｅ  第１の直進カム（第１の切換え部材係合部）
１４ｆ  第２の直進カム（第１の切換え部材係合部）
１４ｇ  傾斜カム（第２の切換え部材係合部）
１５  前群レンズユニット
１６  後群レンズユニット
【図１】
2005351982.tif 000003
【図２】
2005351982.tif 000004
【図３】
2005351982.tif 000005
【図４】
2005351982.tif 000006
【図５】
2005351982.tif 000007
【図６】
2005351982.tif 000008
【図７】
2005351982.tif 000009
【図８】
2005351982.tif 000010
【図９】
2005351982.tif 000011